(57)【特許請求の範囲】
【請求項１】
ディスクカートリッジに収納されたディスクを回転駆動し、ディスクカートリッジ内のディスクが載置されるディスクテーブルと上記ディスクテーブルを回転駆動するモータとを有するディスク回転駆動手段と、
ディスクカートリッジを当該ディスクカートリッジのディスクが上記ディスク回転駆動手段に装着された状態から排出させるためのイジェクト手段と、
上記モータが正転している状態で上記イジェクト手段によるディスクカートリッジの排出動作を禁止するとともに、上記モータが逆転している状態で上記イジェクト手段によるディスクカートリッジの排出動作を可能とする切り換え手段とを備えていることを特徴とするディスクイジェクト装置。
【請求項２】
上記イジェクト手段は、使用者によって操作される第１のイジェクトレバーと上記第１のイジェクトレバーによって操作されるディスクカートリッジのイジェクト動作を行わせる第２のイジェクトレバーと上記第１のイジェクトレバー操作によって上記第２のイジェクトレバーを操作するための伝達機構とを備え、上記切り換え手段は、上記伝達機構を上記第１のイジェクトレバーの操作を上記第２のイジェクトレバーに伝達する伝達位置と上記第１のイジェクトレバーの操作を上記第２のイジェクトレバーに伝達しない非伝達位置との間を選択的に移動させることを特徴とする請求の範囲第１項記載のディスクイジェクト装置。
【請求項３】
上記切り換え手段は、上記伝達機構が上記伝達位置にあるときには上記伝達機構を上記伝達位置方向に付勢するとともに、上記伝達機構が上記非伝達位置にあるときには上記伝達機構を上記非伝達位置方向に付勢するトグルバネを備えていることをことを特徴とする請求の範囲第２項記載のディスクイジェクト装置。
【請求項４】
上記切り換え手段は、上記トグルバネの付勢力に抗して上記モータが逆転している状態で供給される駆動力によって上記伝達機構を移動操作するための移動操作機構を備えていることを特徴とする請求の範囲第３項記載のディスクイジェクト装置。
【請求項５】
上記移動操作機構は、上記モータの回転方向によって揺動される揺動ギヤを備えているとともに、上記伝達機構は上記伝達位置と上記非伝達位置との間を移動し、上記揺動ギヤと噛合するラック部が設けられたレバーとを備え、上記モータの回転方向によって上記揺動ギヤが揺動され、上記揺動ギヤと上記レバーのラック部とが選択的に噛合されて上記レバーが上記伝達位置と非伝達位置との間を移動操作されることを特徴とする請求の範囲第４項記載のディスクイジェクト装置。
【請求項６】
上記揺動ギヤは、上記モータが逆転している状態で上記レバーのラック部と噛合して上記レバーを上記伝達位置方向に移動させることを特徴とする請求の範囲第５項記載のディスクイジェクト装置。
【請求項７】
上記移動操作機構は、更に上記モータが正転しているときに上記揺動ギヤと噛合するさらなるラック部を有するさらなるレバーと上記レバーを上記伝達位置と上記非伝達位置との間を移動操作するためのリンク機構とを備え、上記モータが正転している状態で上記さらなるラック部と上記揺動ギヤとが噛合することによって上記リンク機構により上記レバーを上記非伝達位置方向に移動させることを特徴とする請求の範囲第６項記載のディスクイジェクト装置。
【請求項８】
上記ディスクテーブルの外周に沿ってギヤ部が形成されているとともに、上記移動操作機構は上記ギヤ部と噛合して上記揺動ギヤに駆動力を伝達する伝達ギヤを備えていることを特徴とする請求の範囲第５項記載のディスクイジェクト装置。
【請求項９】
ディスクカートリッジに収納されたディスクを回転駆動し、ディスクカートリッジ内のディスクが載置されるディスクテーブルと上記ディスクテーブルを回転駆動するモータとを有するディスク回転駆動手段と、
ディスクカートリッジを保持し、この保持したディスクカートリッジを上記ディスク回転駆動手段にディスクを装着する位置と上記ディスク回転駆動手段からディスクを離隔する位置との間を移動するホルダと、
上記ディスク回転駆動手段が配されるとともに、上記ホルダが上記ディスクを装着する位置と上記ディスクを離隔する位置との間を移動可能に配設された本体と、
上記ホルダが離隔する位置にあるときに上記ホルダへのディスクカートリッジの挿入を可能とする第１の位置と、上記ホルダが上記装着する位置にあるときに上記ホルダのディスクカートリッジの挿入端を閉塞する第２の位置との間を上記ホルダとともに移動される蓋体と、
上記蓋体を上記第２の位置に保持する保持手段と、
上記保持手段による上記蓋体の保持状態を解除する操作手段と、
上記モータが正転している状態で上記操作手段による上記保持手段の保持状態の解除動作を禁止するとともに、上記モータが逆転している状態で上記操作手段による上記保持手段の保持状態の解除動作を可能とする切り換え手段とを備えていることを特徴とするディスクカートリッジのローディング装置。
【請求項１０】
上記切り換え手段は、上記操作手段と上記保持手段との間に配されて、上記操作手段の操作によって上記保持手段を上記保持手段による上記蓋体の解除操作を行う伝達手段とを備え、上記切り換え手段は、上記伝達手段を上記第１のイジェクトレバーの操作を上記第２のイジェクトレバーに伝達する伝達位置と上記第１のイジェクトレバーの操作を第２のイジェクトレバーに伝達しない非伝達位置との間を選択的に動作させることを特徴とする請求の範囲第９項記載のディスクカートリッジのローディング装置。
【請求項１１】
上記切り換え手段は、上記伝達機構が上記伝達位置にあるときには上記伝達機構を上記伝達位置方向に付勢するとともに、上記伝達機構が上記非伝達位置にあるときには上記伝達機構を上記非伝達位置方向に付勢するトグルバネを備えていることをことを特徴とする請求の範囲10項記載のディスクカートリッジのローディング装置。
【請求項１２】
上記切り換え手段は、上記トグルバネの付勢力に抗して上記モータが逆転している状態で供給される駆動力によって上記伝達機構を移動操作するための移動操作機構を備えていることを特徴とする請求の範囲第11項記載のディスクカートリッジのローディング装置。
【請求項１３】
上記移動操作機構は、上記モータの回転方向によって揺動される揺動ギヤを備えているとともに、上記伝達機構は上記伝達位置と上記非伝達位置との間を移動し、上記揺動ギヤと噛合するラック部が設けられたレバーとを備え、上記モータの回転方向によって上記揺動ギヤが揺動され、上記揺動ギヤと上記レバーのラック部とが選択的に噛合されて上記レバーが上記伝達位置と非伝達位置との間を移動操作されることを特徴とする請求の範囲第12項記載のディスクカートリッジのローディング装置。
【請求項１４】
上記揺動ギヤは、上記モータが逆転している状態で上記レバーのラック部と噛合して上記レバーを上記伝達位置方向に移動させることを特徴とする請求の範囲第13項記載のディスクカートリッジのローディング装置。
【請求項１５】
上記移動操作機構は、更に上記モータが正転しているときに上記揺動ギヤと噛合するさらなるラック部を有するさらなるレバーと上記レバーを上記伝達位置と上記非伝達位置との間を移動操作するためのリンク機構とを備え、上記モータが正転している状態で上記さらなるラック部と上記揺動ギヤとが噛合することによって上記リンク機構により上記レバーを上記非伝達位置方向に移動させることを特徴とする請求の範囲第14項記載のディスクカートリッジのローディング装置。
【請求項１６】
上記ディスクテーブルの外周に沿ってギヤ部が形成されているとともに、上記移動操作機構は上記ギヤ部と噛合して上記揺動ギヤに駆動力を伝達する伝達ギヤを備えていることを特徴とする請求の範囲第15項記載のディスクカートリッジのローディング装置。
【請求項１７】
ディスクを回転駆動し、ディスクテーブル上記ディスクテーブルを回転駆動するモータとを有するディスク回転駆動手段と、
上記ディスク回転駆動手段に装着されたディスクを上記ディスク回転装着されたディスクを上記ディスク回転駆動手段に装着した状態から排出させる状態となすためのイジェクト手段と、
上記モータが正転している状態で上記イジェクト手段によるディスクの排出動作を禁止するとともに、上記モータが逆転している状態で上記イジェクト手段によるディスクの排出動作を可能となす切り換え手段を備えていることを特徴とするディスクイジェクト装置。
【請求項１８】
上記イジェクト手段は、使用者によって操作される第１のイジェクトレバーと上記第１のイジェクトレバーによって操作されるディスクのイジェクト動作を行わせる第２のイジェクトレバーと上記第１のイジェクトレバー操作によって上記第２のイジェクトレバーを操作するための伝達機構とを備え、上記切り換え手段は、上記伝達機構を上記第１のイジェクトレバーの操作を上記第２のイジェクトレバーに伝達する伝達位置と上記第１のイジェクトレバーの操作を上記第２のイジェクトレバーに伝達しない非伝達位置との間を選択的に移動させることを特徴とする請求の範囲第17項記載のディスクイジェクト装置。
【請求項１９】
上記切り換え手段は、上記伝達機構が上記伝達位置にあるときには上記伝達機構を上記伝達位置方向に付勢するとともに、上記伝達機構が上記非伝達位置にあるときには上記伝達機構を上記非伝達位置方向に付勢するトグルバネを備えていることをことを特徴とする請求の範囲第18項記載のディスクイジェクト装置。
【請求項２０】
上記切り換え手段は、上記トグルバネの付勢力に抗して上記モータが逆転している状態で供給される駆動力によって上記伝達機構を移動操作するための移動操作機構を備えていることを特徴とする請求の範囲第19項記載のディスクイジェクト装置。
【請求項２１】
上記移動操作機構は、上記モータの回転方向によって揺動される揺動ギヤを備えているとともに、上記伝達機構は上記伝達位置と上記非伝達位置との間を移動し、上記揺動ギヤと噛合するラック部が設けられたレバーとを備え、上記モータの回転方向によって上記揺動ギヤが揺動され、上記揺動ギヤと上記レバーのラック部とが選択的に噛合されて上記レバーが上記伝達位置と非伝達位置との間を移動操作されることを特徴とする請求の範囲第20項記載のディスクイジェクト装置。
【請求項２２】
上記揺動ギヤは、上記モータが逆転している状態で上記レバーのラック部と噛合して上記レバーを上記伝達位置方向に移動させることを特徴とする請求の範囲第21項記載のディスクイジェクト装置。
【請求項２３】
上記移動操作機構は、更に上記モータが正転しているときに、上記揺動ギヤと噛合するさらなるラック部を有するさらなるレバーと上記レバーを上記伝達位置と上記非伝達位置との間を移動操作するためのリンク機構とを備え、上記モータが正転している状態で上記さらなるラック部と上記揺動ギヤとが噛合することによって上記リンク機構により上記レバーを上記非伝達位置方向に移動させることを特徴とする請求の範囲第22項記載のディスクイジェクト装置。
【請求項２４】
上記ディスクテーブルの外周に沿ってギヤ部が形成されているとともに、上記移動操作機構は上記ギヤ部と噛合して上記揺動ギヤに駆動力を伝達する伝達ギヤを備えていることを特徴とする請求の範囲第23項記載のディスクイジェクト装置。
【発明の詳細な説明】
技術分野
本発明は、ディスク記録及び／又は再生装置のディスク回転駆動機構に装着されたディスクをイジェクト操作するディスクイジェクト装置及びこのイジェクト装置を備えたディスクカートリッジのローディング装置に関する。特に、ディスク回転駆動機構を構成するモータの駆動力を利用してディスクのイジェクト操作を行うイジェクト装置及びディスクカートリッジのローディング装置に関する。
背景技術
従来、情報信号の記録媒体として光ディスクや光磁気ディスク等の光ディスクを記録媒体に用いる記録及び／又は再生装置が用いられている。
この記録及び／又は再生装置は、ディスクカートリッジに収納された光ディスクを回転駆動するディスク回転駆動機構を備えている。このディスク回転駆動機構は、ディスクが載置されるディスクテーブルと、このディスクテーブルを回転駆動するスピンドルモータとを備えている。ディスクテーブルは、ディスク載置面側に、光ディスクの中心部に設けたセンター穴に係合するセンタリング部材と、ディスクのセンター穴を覆うように取り付けられた磁性板を吸引するマグネットを備えている。光ディスクは、センター穴をセンタリング部材に係合させ、マグネットによって磁性板が磁気吸引されることにより、ディスクテーブルと一体に回転し得るようにに芯出しが図られて装着される。このディスクテーブルは、スピンドルモータの駆動軸に一体的に連結され、スピンドルモータの駆動によって回転駆動される。
また、記録及び／又は再生装置には、ディスクテーブルに装着され、このディスクテーブルと一体に回転駆動される光ディスクに対し情報信号の記録及び／又は再生を行う記録及び／又は再生手段を構成する光学ピックアップ装置が設けられている。この光学ピックアップ装置は、送り機構を用いて回転駆動される光ディスクの径方向に送り操作されることにより光ディスクの信号記録領域を走査する。
そして、ディスクを記録媒体に用いる記録及び／又は再生装置には、ディスク回転駆動機構のディスクテーブルに光ディスクを装着するとともにこのディスクテーブルに装着された光ディスクをイジェクトするイジェクト機構を備えたローディング装置が設けられている。
ところで、情報信号の記録可能な光ディスクを記録媒体に用いる記録及び／又は再生装置においては、情報信号を記録した後、この記録された情報信号のアドレス等の目録情報の記録が行われる。そのため、情報信号の記録が行われている途中でディスクテーブルに装着された光ディスクのイジェクト操作が行われると、情報信号の正確な記録が行われなくなってしまう。
また、光ディスクに記録された情報信号の再生を行っている最中に、ディスクテーブルに装着された光ディスクのイジェクト操作が行われると、次に情報信号の再生を行うときに、円滑な再生動作が行われなく虞がある。
さらに、光ディスクの記録及び／又は再生動作中に、ディスクテーブルに装着された光ディスクのイジェクト操作が行われると、光ディスクと光学ピックアップ装置との衝突などが発生し、光ディスクや光学ピックアップ装置を損傷させてしまう虞もある。
そこで、光ディスクを記録媒体に用いる記録及び／又は再生装置にあっては、光ディスクがディスクテーブルに装着され、情報信号の記録及び／又は再生が行われている途中でイジェクト操作を禁止するようにしたイジェクト機構が設けられている。
このイジェクト機構として、図１に示すように構成されたものが提案されている。このイジェクト機構は、光ディスクを記録媒体に用いて情報信号の記録再生を行うディスク記録再生装置に適用されたものであって、第１及び第２のイジェクトレバー117,118を備えている。これら第１及び第２のイジェクトレバー117,118は、ディスク記録再生装置の装置本体100の一側面に沿って移動可能に取り付けられている。第１のイジェクトレバー117には、このレバー117の容易な移動操作を可能となすため、摘み部116が設けられている。そして、第１のイジェクトレバー117は、装置本体100の一側面に沿って図１中矢印ｃ方向に移動操作されると、第１及び第２のイジェクトレバー117,118間に介在された操作力を伝達させる伝達レバー111を介して第２のイジェクトレバー118を図１中矢印ｄ方向に移動させる。
ここで、第１のイジェクトレバー117の操作力を第２のイジェクトレバー118に伝達する伝達レバー111は、図１に示すように、先端側の回動操作部115を第１及び第２のイジェクトレバー117,118間に臨ませている。第１のイジェクトレバー117が、第１中矢印ｃ方向に移動されると、回動操作部115が押圧され、伝達レバー111が第２のイジェクトレバー118側に回動される。そして、回動操作部115を介して、第２のイジェクトレバー118が図１中矢印ｄ方向に移動される。
一方、第２のイジェクトレバー118は、光ディスクを収納したディスクカートリッジが挿入保持されるカートリッジホルダと同期して回動操作される蓋体の開閉を制御する。すなわち、蓋体は、カートリッジホルダと同期して回動操作され、カートリッジホルダがディスクカートリッジを装置本体側の装着位置に回動されたとき、カートリッジ装着部を閉塞するように回動されて、第２のイジェクトレバー118にロックされ、閉塞状態が保持される。そして、第２のイジェクトレバー118が、図１中矢印ｄ方向に移動されると、蓋体のロックを解除し、カートリッジ装着部を開放する方向に蓋体を回動させる。この蓋体の開放方向への回動は、蓋体の回動軸に設けられた捻りコイルバネによって行われる。
また、伝達レバー111は、装置本体に配設されたイジェクト規制レバー106上に揺動可能に配設され、先端側の回動操作部115を外筐の一側面から突出させ、第１及び第２のイジェクトレバー117,118間に臨ませている。この伝達レバー111は、長手方向を長径とした第１の支持孔110aと大径の第２の支持孔110bをイジェクト規制レバー106に植立した第１及び第２の支軸109a,109bに挿通してイジェクト規制レバー106上に配設されている。伝達レバー111は、第１及び第２の支持孔110a,110bの範囲で図１中矢印ｂ方向に移動可能であって、長孔として形成された第１の支持孔110aに挿通された第１の支軸109aを中心にして、大径の第２の支持孔110bの範囲で回動される。そして、伝達レバー111は、このレバー111の一側に突設したバネ係止片113とイジェクト規制レバー106の一側に突設したバネ係止片112との間に張設された引っ張りバネ114により、図１中矢印ｂ方向の回動操作部115を第１及び第２のイジェクトレバー117,118間に突出させる方向に移動付勢されている。
伝達レバー111が配設されたイジェクト規制レバー106は、伝達レバー111の移動方向を長径とした第１及び第２の支持孔108a,108bを装置本体に植立した第１及び第２の支軸107a,107bに挿通し、図１中矢印a1及び矢印a2方向の第１及び第２のイジェクトレバー117,118に対し進退する方向に移動可能に支持されている。この伝達レバー111が配設されたイジェクト規制レバー106の基端部側の一側面には、駆動モータ101によって回転駆動される駆動ギヤ104が噛合するラックギヤ105が形成されている。
駆動ギヤ104は、ラックギヤ105に噛合する平歯ギヤ119とウォームホイール121が同軸に設けられている。ウォームホイール121には、駆動モータ101の駆動力が伝達されるウォームギヤ103が噛合している。このウォームギヤ103と駆動モータ101の連結は、駆動モータ101の駆動軸101aに取り付けられた平歯車102とウォームギヤ103の基端部に取り付けられた平歯車120を噛合することによって行われている。
上述のように構成されたイジェクト機構が適用されたで記録再生装置は、この装置のディスク回転駆動機構に光ディスクが装着され、この光ディスクに対し情報信号の記録又は再生を行っている最中においては、駆動モータ101は、イジェクト規制レバー106を図１中矢印a2方向に移動させ、伝達レバー111の先端部の回動操作部115を第１及び第２のイジェクト操作レバー117,118間から退出させた位置に移動させている。この状態で第１のイジェクトレバー117を図１中矢印ｃ方向に移動させても、第２のイジェクトレバー118は付作動状態に置かれる。すなわち、第１のイジェクトレバー117は、図１中矢印ｃ方向の移動範囲が規制され、回動操作部115が介在されていないとき、第２のイジェクトレバー118を押圧するに足る距離の移動が行われないためである。そして、第２のイジェクトレバー118の移動操作が規制されてなるので、カートリッジホルダをカートリッジ装着位置に回動させ、カートリッジ装着部を閉塞した位置に回動されてロックされている蓋体のロック解除操作が規制される。その結果、蓋体の開放操作が規制されることにより、ディスク回転駆動機構に装着された光ディスクのイジェクト操作が規制される。
また、光ディスクに対する情報信号の記録が終了した後、この記録した情報信号の目録情報の記録が完了し、あるいは光ディスクに記録された指定した所望の情報信号の再生が完了すると、駆動モータ101が駆動し、イジェクト規制レバー106を図１中矢印a1方向に移動させる。イジェクト規制レバー106が、図１中矢印a1方向に移動すると、図１に示すように、伝達レバー111の先端部の回動操作部115が第１及び第２のイジェクト操作レバー117,118間に突出する。この状態で第１のイジェクトレバー117を図１中矢印ｃ方向に移動させると、伝達レバー111が回動され、この伝達レバー111によって第２のイジェクトレバー118が図１中矢印ｄ方向に移動され、カートリッジ装着部を閉塞した位置にロックされている蓋体のロックが解除され、蓋体はカートリッジ装着部を開放する方向に回動される。蓋体の回動とともにカートリッジホルダも同方向に回動され、ディスク回転駆動機構に装着されていた光ディスクをこのディスク回転駆動機構からイジェクトさせる。
上述したようにディスク回転駆動機構に装着された光ディスクのイジェクト操作を規制するイジェクト機構を備えたディスク記録再生装置は、イジェクト機構の動作を制御を独立の駆動モータを用いて行っている。そのため、ディスク記録再生装置を構成するモータの数が増加し、構成が複雑となり、装置の小型化を阻害する原因となっている。
さらに、イジェクト機構の動作を規制する駆動モータの動作を制御させるための制御回路が必要となり、装置全体の制御回路が複雑となってしまう。
発明の開示
本発明の目的は、情報信号が記録される光ディスク等のディスクを記録媒体に用いる記録及び／又は再生装置の構成の簡素化を図るディスクイジェクト装置及びディスクカートリッジのローディング装置を提供することにある。
本発明の他の目的は、駆動モータの削減を図り、構成の簡素化及び装置自体の一層の小型化を実現することを可能となすでイジェクト装置及びディスクローディング装置を提供することにある。
本発明の更に他の目的は、記録及び／又は再生装置の制御回路の簡素化を図り得るディスクイジェクト装置及びディスクカートリッジのローディング装置を提供することにある。
本発明の更に他の目的は、ディスク回転駆動機構に装着されたディスクのイジェクト操作を正確に制御し得るイジェクト装置及びディスクカートリッジのローディング装置を提供することにある。
本発明の更に他の目的は、情報信号の正確な記録及び／又は再生を可能となすとともに、ディスク及び記録及び／又は再生機構の保護を図り得るディスクイジェクト装置及びディスクカートリッジのローディング装置を提供することにある。
本発明に係るディスクイジェクト装置は、ディスクカートリッジに収納されたディスクを回転駆動し、ディスクカートリッジ内のディスクが載置されるディスクテーブルとこのディスクテーブルを回転駆動するモータとを有するディスク回転駆動機構と、ディスクカートリッジをこのディスクカートリッジに収納したディスクがディスク回転駆動手段に装着された状態から排出させるためのイジェクト機構と、ディスク回転駆動機構のモータが正転している状態でイジェクト機構によるディスクカートリッジの排出動作を禁止するとともに、このモータが逆転している状態でイジェクト機構によるディスクカートリッジの排出動作を可能とする切り換え機構とを備えている。
また、本発明に係るディスクカートリッジのローディング装置は、ディスクカートリッジに収納されたディスクを回転駆動し、ディスクカートリッジ内のディスクが載置されるディスクテーブルとこのディスクテーブルを回転駆動するモータとを有するディスク回転駆動機構と、ディスクカートリッジを保持し、この保持したディスクカートリッジをディスク回転駆動機構にディスクを装着する位置とディスク回転駆動機構からディスクを離隔する位置との間を移動するホルダと、ディスク回転駆動機構が配されるとともに、ホルダがディスクを装着する位置とディスクを離隔する位置との間を移動可能に配設された本体と、ホルダが離隔する位置にあるときにこのホルダへのディスクカートリッジの挿入を可能とする第１の位置と、ホルダが上記装着する位置にあるときにホルダのディスクカートリッジの挿入端を閉塞する第２の位置との間を上記ホルダとともに移動される蓋体と、この蓋体を第２の位置に保持するための保持機構と、この保持機構による蓋体の保持状態を解除する操作機構と、ディスク回転駆動機構のモータが正転している状態で操作機構による保持機構の蓋体を保持した状態の解除動作を禁止するとともに、このモータが逆転している状態で操作機構による保持機構の蓋体を保持した状態の解除動作を可能とする切り換え機構をとを備えている。
本発明に係るディスクイジェクト装置及びディスクカートリッジのローディング装置は、ディスク回転駆動機構のモータを用いて、ディスクカートリッジをイジェクト操作する機構の制御が行われる。
本発明の更に他の目的及び本発明によって得られる利益は、以下に図面を参照して説明される具体的な実施例の説明から一層明らかにされるであろう。
【図面の簡単な説明】
図１は、従来のディスク記録再生装置に適用されたディスクイジェクト装置を示す平面図である。
図２は、本発明が適用されるディスク記録再生装置に用いられる記録再生型のディスクカートリッジを示す斜視図である。
図３は、上記ディスクカートリッジの底面側を示す斜視図である。
図４は、本発明が適用されるディスク記録再生装置に用いられる再生専用型のディスクカートリッジを示す斜視図である。
図５は、上記ディスクカートリッジの底面側を示す斜視図である。
図６は、本発明が適用されるディスク記録再生装置の外観を示す斜視図である。
図７は、カートリッジホルダがカートリッジ装着部から隔離され、ディスクカートリッジをイジェクトした状態を示すディスク記録再生装置の側面図である。
図８は、上記ディスク記録再生装置の記録再生部及びイジェクト機構を示す平面図である。
図９は、蓋体を閉塞させた状態を示す斜視図である。
図10は、ディスクテーブルにディスクを載置した状態を示すディスク回転駆動機構の断面図である。
図11は、ディスクカートリッジのイジェクト操作を可能とする状態を示すディスクイジェクト装置の平面図である。
図12は、イジェクト規制レバーを操作する状態を示すディスクディスクイジェクト装置の平面図である。
図13は、ディスクカートリッジのイジェクト操作が規制された状態を示すディスクイジェクト装置の平面図である。
図14は、本発明の他の実施例を示すものであって、ディスクカートリッジのイジェクト操作を可能とする状態を示すディスクイジェクト装置の平面図である。
図15は、上記実施例において、ディスクカートリッジのイジェクト操作が規制された状態を示すディスクイジェクト装置の平面図である。
発明を実施するための最良の形態
以下、本発明の具体的な実施例を図面を参照して説明する。
以下に説明する本発明の実施例は、情報信号が予め記録された再生専用型の光ディスク及び情報信号の再記録を可能となす光磁気ディスクを記録媒体に用いるディスク記録再生装置に適用した例を示す。
このディスク記録再生装置に用いられる情報信号の再記録を可能となす光磁気ディスクは、直径が例えば64mm程度のポリカーボネート樹脂等の透明な合成樹脂材料より形成されるディスク基板に、垂直磁化膜よりなる信号記録層が被着形成されて構成されている。この信号記録層は、光学ピックアップ装置の光源から出射された光ビームにより局所的にキュリー温度以上に加熱され、この加熱された部分に外部磁界が印加されることにより、情報信号の記録が行われる。この光磁気ディスクに記録された情報信号は、信号記録層に直線偏光された光ビームを照射し、信号記録層から反射される戻り光のカー効果による偏光方向の回転を光検出器により検出することによって読み出される。
また、再生専用型の光ディスクは、情報信号が予め微少な凹凸であるビット列をもって記録されている。このビット列が形成された面には、アルミニュウム等の反射膜が形成されている。この光ディスクに記録された情報信号は、ビット列に光ビームを照射し、反射膜を介して反射された戻り光を光検出器によって検出することによって読み出しが行われる。
情報信号の再記録を可能となす光磁気ディスク211を収納したディスクカートリッジ210は、図２及び図３に示すように、光磁気ディスク211の外径を略内接円とする方形状のカートリッジ本体212を備えている。このカートリッジ本体212には、その上面側に、図２に示すように、収納した光磁気ディスク211の信号記録領域の一部を内外周に亘って外方に臨ませる磁気ヘッド用の開口部213が形成されている。また、カートリッジ本体212には、図３に示すように、その下面側に、磁気ヘッド用の開口部213に対向して、同じく光磁気ディスク211の信号記録領域の一部を外方に臨ませる光学ピックアップ装置用の開口部214が形成されている。さらには、カートリッジ本体212には、その下面側に、光磁気ディスク211を回転操作するディスク回転駆動機構のディスクテーブルが進入する中央開口部215が形成されている。
カートリッジ本体212には、各開口部213,214を閉塞するシャッタ部材216が取り付けられている。このシャッタ部材216は、薄い金属板を打ち抜き折り曲げて、あるいは合成樹脂の成形して形成され、開口部213,214を覆うに足る大きさを有するシャッタ板217,218とこれらシャッタ板217,218の基端部を連結する連結部219とから構成される。そして、シャッタ部材216は全体として略コ字状をなすように形成される。このように構成されるシャッタ部材216は、各シャッタ板217,218が各開口部213,214を覆うようにしてカートリッジ本体12の前面側に取り付けられ、この前面側に沿って移動することにより各開口部213,214を開閉する。シャッタ部材216は、連結部219に設けられた図示しない係合片をカートリッジ本体212の前面側に形成した移動ガイド溝220に係合させることにより、係合片が移動ガイド溝220にガイドされ安定した移動が保証される。
また、シャッタ部材216の連結部219の中央部には、このディスクカートリッジ210をディスク記録再生装置からイジェクト操作する際、各開口部213,214を開放する位置に移動されたシャッタ部材216を閉塞する位置方向に移動操作する記録再生装置側に設けられたシャッタ閉塞操作部材が係合する係合部221が設けられている。
ところで、光磁気ディスク211は、その中央部にセンタ穴222が形成されている。このセンター穴222が形成された中央部には、このセンター穴222を閉塞するように磁性を有する金属により形成されたハブ223が取り付けられている。このハブ223は、光磁気ディスク211がディスクテーブルに装着されたとき、このディスクテーブルに配設されたマグネットに吸引される。これらセンター穴222及びハブ223は、中央開口部215を介して外方に臨まされている。
また、カートリッジ本体212の下面側には、図３に示すように、このディスクカートリッジ21をディスク記録再生装置のカートリッジ装着部に装着したとき、装置側に設けた位置決めピンが係合する一対の位置決め穴224,225が形成されている。これら位置決め穴224,225は、図３に示すように、シャッタ部材216が取り付けられるカートリッジ本体212の前面側の両側に位置して設けられている。なお、一方の位置決め穴224は、シャッタ部材216の移動方向を長径として形成され、長径方向の範囲で位置決めピンに対する係合位置を調整可能としている。また、他方の位置決め穴225は、真円に形成され、位置決めピンに対する係合位置を規制している。
さらには、カートリッジ本体212の下面側には、図３に示すように、位置決め穴224,225が設けられた前面側に対向する背面側に、複数の識別穴226が形成されている。これら識別穴226は、カートリッジ本体212に収納されているディスクの種別や状態、例えば情報信号の記録が可能か否かを表示するものである。そして、ディスクカートリッジ210に設けられる１つの識別穴227は、誤記録検出用として用いられ、カートリッジ本体212内に移動可能に設けられた図２に示す誤記録防止部材228により開閉される。すなわち、識別穴227は、誤記録防止部材228が移動操作されることにより、光磁気ディスク211に対する情報信号の記録が可能か否かを切り換える。また、カートリッジ本体212には、記録及び／又は再生装置への挿入端となる前面側の両側に、ディスクカートリッジ210を記録及び／又は再生装置内に引き込み操作をする引き込み機構の一部が係合する係合凹部229が形成されている。
さらにまた、カートリッジ本体212のディスク記録再生装置への挿入端側の一側面であって下面側に位置して、カートリッジ本体212に収納されたディスクを識別するための識別用凹部230が設けられている。
上述のように構成されたディスクカートリッジ210は、シャッタ部材216が移動する前面側と直交する一側面を挿入端としてディスク記録再生装置に挿脱が行われる。すなわち、ディスクカートリッジ210は、図２及び図３中矢印X1方向及び矢印X2方向を挿脱方向としてディスク記録再生装置への挿脱が行われる。
また、再生専用型の光ディスク231を収納したディスクカートリッジ232は、情報信号の記録のために用いられる磁気ヘッドのための開口部を設ける必要がないので、図４及び図５に示すように、カートリッジ本体233の上面側を閉塞している。シャッタ部材234も、カートリッジ本体233の下面側に設けた光学ピックアップ装置用の開口部214を開閉するシャッタ板218のみを有する。
そして、カートリッジ本体233に収納されたディスクを識別するための識別用凹部235は、光磁気ディスク211を収納したディスクカートリッジ210に設けられた識別用凹部230とは深さを異にして設けられている。これら識別用凹部230,235の深さの相異を検出することによって、ディスクカートリッジ210,232が情報信号の再記録を可能となすものか、再生専用型のものであるかの判別を可能となす。
再生専用型のディスクカートリッジ232に収納された光ディスク231に対しては情報信号の記録を行うことができないので、このディスクカートリッジ232には誤記録防止部材は設けられていない。
なお、再生専用型のディスクカートリッジ232は、その他の構成を情報信号の再記録を可能となすでカートリッジ210と共通の構成を備えているので、共通の部分には、共通の符号を付して詳細な説明は省略する。
この再生専用型のディスクカートリッジ232も、シャッタ部材234が移動する前面側と直交する一側面を挿入端としてディスク記録再生装置に挿脱が行われる。すなわち、ディスクカートリッジ232は、図４及び図５中矢印X1方向及び矢印X2方向を挿脱方向としてディスク記録再生装置への挿脱が行われる。
上述のように構成されたディスクカートリッジ210又は232が記録媒体として用いられる本発明が適用されるディスク記録再生装置は、図６及び図７に示すように、ディスクカートリッジ210又は232に収納された光磁気ディスク211又は光ディスク231を回転駆動するディスク回転駆動機構１や光磁気ディスク211又は光ディスク231に対し情報信号の記録及び／又は再生を行う記録及び／又は再生手段を構成する光学ピックアップ装置２及び磁気ヘッド装置３が配置された装置本体４を備えている。ディスク回転駆動機構１及び光学ピックアップ装置２は、装置本体４内に配設されたベース板５に取り付けられている。ベース板５に取り付けられたディスク回転駆動機構１のディスクテーブル６及び光学ピックアップ装置２の光ビームが入出射する対物レンズが臨むベース板５の上面側には、図７及び図８に示すように、ディスクカートリッジ210又は232が装着されるカートリッジ装着部７が構成されている。カートリッジ装着部７には、図７及び図８に示すように、装着されるディスクカートリッジ210又は232に設けた位置決め孔224,225が係合する位置決めピン８が設けられている。ディスクカートリッジ210又は232は、位置決めピン８に位置決め孔224,225を係合させることにより、カートリッジ装着部６に装着位置が位置決めされて装着される。
装置本体４には、ディスクカートリッジ210又は232を保持し、この保持したディスクカートリッジ210又は232をカートリッジ装着部６に装着させるカートリッジホルダ９が設けられている。このカートリッジホルダ９は、ディスクカートリッジ210又は232の挿脱を行う挿脱口10が設けられた前面側と対向する基端部側の両側を、ベース板５に設けた支持片11に支軸12を支持させ、この支軸12を中心にしてカートリッジ装着部７に近接離間する方向の図７中矢印Ｅ方向及びＦ方向に回動するように支持されている。
そして、カートリッジホルダ９は、図７に示すように、カートリッジ装着部７から離隔させた状態で挿脱口10を介してディスクカートリッジ210又は232を挿入させた状態で支軸12を中心に図７中矢印Ｅ方向に回動され、図９に示すように、カートリッジ装着部７に近接した位置に至ると、ディスクカートリッジ210又は232をカートリッジ装着部７に位置決めして装着させ、光磁気ディスク211又は231をディスクテーブル６上に載置させる。
カートリッジホルダ９は、ディスクカートリッジ210又は232をカートリッジ装着部に装着させた状態から支軸12を中心に図９中矢印Ｆ方向に回動されると、光磁気ディスク211又は231をディスクテーブル６から外し、ディスクカートリッジ210又は232をイジェクト位置に移動させる。
カートリッジホルダ９の上面側には、光学ピックアップ装置２と共働して光磁気ディスク211に対し情報信号の記録を行う磁気ヘッド装置３が配設されている。この磁気ヘッド装置３は、光学ピックアップ装置２に連結された略Ｌ字状をなす連結部材13の先端側に支軸14を介して回動可能に取り付けられた回動アーム15の先端側に支持されたヘッド支持アーム16の先端側に磁気ヘッド17を取り付けている。ここで、回動アーム15は、この回動アーム15を支持した支軸14に支持され、捻りコイルバネ18により回動アーム15側に回動付勢された押圧アーム19によりカートリッジホルダ９側に押圧されている。従って、回動アーム15に支持されたヘッド支持アーム16は、カートリッジホルダ９の回動に追随してカートリッジ装着部７に近接離間する方向に回動操作される。
また、カートリッジホルダ９の上面側には、ヘッド支持アーム16を回動制御し、このヘッド支持アーム16の先端に取り付けた磁気ヘッド17を、カートリッジ装着部７に装着されたディスクカートリッジ221又は232の光磁気ディスク211又は光ディスク231に接離させる磁気ヘッド制御機構20が設けられている。この磁気ヘッド制御機構20は、ヘッド支持アーム16を光磁気ディスク211又は光ディスク231に対し接離させる制御アーム21と、この制御アーム21を支軸22を中心に回動操作する回動操作部材23とを備える。この回動操作部材23は、カートリッジホルダ９の上面側を移動するスライダ板24に取り付けられている。このスライダ板24は、基端側に操作アーム25が垂下するように装置本体４側に延長されている。そして、カートリッジ装着部７に光磁気ディスク211を収納したディスクカートリッジ210が装着されたことが検出されると、スライダ板24が操作アーム25を介して図９中矢印Ｇ方向に移動される。スライダ板24が図９中矢印Ｇ方向に移動されると、回動操作部材23が制御アーム21から離間する。そして、制御アーム21がカートリッジホルダ９側に回動され、ヘッド支持アーム16も同方向に回動され、磁気ヘッド17をディスクテーブル６上の光磁気ディスク211に接触させる。
磁気ヘッド装置３は、連結部材13を介して光学ピックアップ装置２に連結されているので、光学ピックアップ装置２の移動に同期してディスクテーブル６上に載置された光磁気ディスク211又は光ディスク231の径方向への移動する。すなわち、磁気ヘッド装置３は、ピックアップ送りモータ26が駆動することにより、光学ピックアップ装置２と一体にディスクテーブル６上に載置された光磁気ディスク211又は光ディスク231の径方向に移動する。
そして、ベース板５にディスク回転駆動機構１や光ピックアップ装置２を取り付けた装置本体４は、図７及び図９に示すように、外筐28に収納配置される。この外筐28には、カートリッジホルダ９と同期して回動し、カートリッジ装着部７を閉塞する蓋体29が設けられている。この蓋体29は、基端部側を外筐28に支軸を介して取り付けられている。蓋体29は、支軸を中心に回動するとき、カートリッジホルダ９と同期して回動し得るように連結されている。すなわち、蓋体29とカートリッジホルダ９は、連結機構を介して互いに連結されている。
そして、蓋体29は、カートリッジホルダ９がカートリッジ装着部７から離隔した位置にあるとき、図７に示すように、カートリッジホルダ９の前面側のディスクカートリッジ210又は232の挿脱口10を開放した第１の位置に回動された状態におかれる。また、蓋体29は、カートリッジホルダ９がディスクカートリッジ210又は232をカートリッジ装着部７に装着させた図９に示す位置に回動されるとき、カートリッジホルダ９の挿脱口10を閉塞した第２の位置に回動される。このとき、蓋体29は、装置本体４側に設けた後述するイジェクト機構を構成する第２のイジェクトレバー30に設けたロック片31に被係合部27を係合させ、第２の位置に保持される。
蓋体29は、第２の位置にあるとき、図６に示すように、外筐28に突き合わせられ、カートリッジホルダ９とともにカートリッジ装着部７を閉塞する。
なお、蓋体29には、図６に示すように、ディスク記録再生装置の操作モードを選択する複数の操作モード選択釦32や、操作モードや操作状態を表示する表示部59が設けられている。
また、装置本体４を収納した外筐28の前面側には、図６に示すように、記録モードを選択する記録モード選択釦33とともに、イジェクト機構の第１のイジェクトレバーを移動操作させるイジェクトレバー操作釦34が設けられている。そして、カートリッジ装着部７に装着されたディスクカートリッジ210又は232の光磁気ディスク211又は光ディスク231に対する情報信号の記録又は再生が完了したところで、イジェクトレバー操作釦34を操作し、第２の位置に保持されている蓋体29のロック片31に対するロックを解除すると、蓋体29及びカートリッジホルダ９は、図９中矢印Ｆ方向に回動され、図７に示すように、カートリッジホルダ９がカートリッジ装着部７から離隔した位置に回動するとともに、蓋体29がカートリッジホルダ９の挿脱口10を開放した第１の位置に回動される。そして、ディスクテーブル６に装着された光磁気ディスク211又は光ディスク232のイジェクト操作が行われる。
次に、装置本体４内に配設されるディスク回転駆動装置１のさらに詳細な構成を説明する。
ディスク回転駆動装置１は、図10に示すように、カートリッジ装着部７に装着されたディスクカートリッジ210又は232の光磁気ディスク211又は光ディスク232が載置されるディスクテーブル６と、このディスクテーブル６を回転駆動するスピンドルモータ35を有する。スピンドルモータ35は、カートリッジ装着部７が構成されるベース板５の上面側に駆動軸36を突出させて、ベース板５の下面側に取り付けられている。スピンドルモータ35のベース板５への取り付けは、モータハウジング37のフランジ部37aを固定ネジ38によりベース板５に固定して行われる。
スピンドルモータ35の駆動軸36は、ハウジング37内に配設した軸支持部材39に一対のベアリング40,40を介して回転自在に支持されている。駆動軸36には、ヨーク取付部材41が一体的に取り付けられ、このヨーク取付部材41に相対向して取り付けられた一対のヨーク42,43を介してロータマグネット44,45が取り付けられている。ロータマグネット44,45は、リング上に形成され、円周方向に着磁が施されている。また、一対のロータマグネット44,45間には、ステータコイルが設けられたプリント回路基板46が配設されている。このプリント回路基板46は、ハウジング37内に固定配置され、一部がハウジング37の外方に突出されている。プリント回路基板46のハウジング37の外方に突出した部分には、図８に示すように、ステータコイルに給電を行う給電線が接続される接続端子47が設けられている。
スピンドルモータ35は、接続端子47に接続された給電線を介してステータコイルに駆動電流が供給されると、ステータコイルに供給される駆動電流の方向に応じて正転方向又は逆転方向に駆動軸36を回転駆動させる。
そして、ディスクテーブル６は、円盤状に形成され、中心部に設けた嵌合孔48を駆動軸36の先端側に嵌合させることにより、図10に示すように、駆動軸36と一体回転するように取り付けられている。ディスクテーブル６の中央部には、このディスクテーブル６上に載置される光磁気ディスク211又は光ディスク321のセンター穴222が係合することにより、これら光磁気ディスク211又は光ディスク231のディスクテーブル６に対する載置位置を位置決めする位置決め突部49が設けられている。この位置決め突部49の先端部には、先端側に向かって縮径するように形成され係合ガイド部49aが形成されている。係合ガイド部49aは、光磁気ディスク211又は光ディスク231のセンター穴22が位置決め突部49に円滑に係合するようにガイドするものである。
また、位置決め突部49には、図８及び図11に示すように、外周側に向かって突出するディスク押圧部50が設けられている。このディスク押圧部50は、位置決め突部49に出没する方向に弾性変位可能に形成されている。そして、光磁気ディスク211又は光ディスク231がセンター穴222を位置決め突部49に係合させてディスクテーブル６上に載置されたとき、ディスク押圧部50がセンター穴222の内周面を押圧支持することにより、光磁気ディスク211又は光ディスク231のディスクテーブル６に対する載置位置を位置決めする。
位置決め突部49の先端面には、凹部51が形成され、この凹部51内にディスク吸引用のマグネット52が配設されている。このマグネット52は、ハブ233を磁気吸引し、光磁気ディスク211又は光ディスク231をディスクテーブル６のディスク載置面6aに圧接支持させ、ディスクテーブル６と一体に回転するように保持する。
なお、ディスクテーブル６は、図10に示すように、中央開口部215を介して、カートリッジ装着部７に装着されたディスクカートリッジ210又は232に進入し、光磁気ディスク211又は光ディスク231を載置させる。
そして、ディスクテーブル６の下端側の外周囲には、ギヤ53が刻設されている。
また、ディスク回転駆動機構１が取り付けられたベース板５を介して光学ピックアップ装置２が取り付けられている。光学ピックアップ装置２は、ディスクテーブル６上に載置された光磁気ディスク211又は光ディスク231の信号記録領域を走査する光ビームを出射する光源である半導体レーザ、半導体レーザから出射された光ビームを集光して光磁気ディスク211又は光ディスク231に照射するとともに光磁気ディスク211又は光ディスク231から反射される戻り光が入射される対物レンズ、半導体レーザから出射された光ビームと戻り光を分離するビームスプリッタ等の光学部品、戻り光を検出する光検出器等を備えている。
光学ピックアップ装置２は、対物レンズ53をカートリッジ装着部７側に向け、両側をベース板５の下面側に互いに平行に取り付けられた一対のガイド軸55,56に支持され、これらガイド軸55,56にガイドされてディスクテーブル６上に載置された光磁気ディスク211又は光ディスク231の径方向に移動操作される。光学ピックアップ装置２の送り操作は、ピックアップ送りモータ26によって回転駆動される送りネジ57によって行われる。ここで、光学ピックアップ装置２は、一端側に係合ピン58を設け、この係合ピン58を送りネジ57に係合させることによって、この送りネジ57に連結されている。そして、光学ピックアップ装置２は、ピックアップ送りモータ26が駆動し、送りネジ57が回転されることにより、図８中矢印Ｈ方向のディスクテーブル６上に載置された光磁気ディスク211又は光ディスク231の径方向に移動操作される。光学ピックアップ装置２が送り操作されるとき、前述したように、この光学ピックアップ装置２に連結部材13を介して連結された磁気ヘッド装置３も光磁気ディスク211又は光ディスク231の径方向に移動操作される。
そして、ディスク記録再生装置には、ディスクカートリッジ210又は232をカートリッジ装着部７に装着させた位置に回動されたカートリッジホルダ９の挿脱孔10を閉塞した第２の位置に保持されている蓋体29のロックを解除し、蓋体29及びカートリッジホルダ９を回動させて、ディスクカートリッジ210又は232をカートリッジ装着部７からイジェクトさせるイジェクト機構60が設けられている。このイジェクト機構60には、ディスク記録再生装置の操作状態に応じて、ディスクカートリッジ210又は232のイジェクト操作を規制する機構が設けられている。この機構は、ディスク回転駆動機構１のスピンドルモータ35の駆動力を受けて操作される。
イジェクト機構60は、図８及び図11に示すように、装置本体４を構成するベース板５の一側面に沿って移動する第１及び第２のイジェクトレバー61,30を備えている。第１のイジェクトレバー61には、このレバー61を移動操作させるための移動操作子62が設けられている。この移動操作子62は、図６に示すように、外筐28に設けた貫通孔62aに臨まされ、その先端に操作釦34が取り付けられている。この第１のイジェクトレバー61は、操作釦34を摘んで移動操作することにより、図11中矢印Ｋ方向に移動される。
そして、第１及び第２のイジェクトレバー61,30は、相対向する端部間に一定の距離L1だけ離間させて配置されている。すなわち、第１のイジェクトレバー61は、移動操作されたとき、第２のイジェクトレバー30に当接し、この第２のイジェクトレバー30を直接移動操作し得ない距離L1だけ離間されている。互いに一定距離L1離間させて配置された第１及び第２のイジェクトレバー61,30間には、これら第１及び第２のイジェクトレバー61,30間に進退し、第１のイジェクトレバー61の操作力を第２のイジェクトレバー30に伝達する伝達レバー63が配置されている。したがって、第１のイジェクトレバー61が図11中矢印Ｋ方向に移動されると、第１及び第２のイジェクトレバー61,30間に臨まされた伝達レバー63の回動操作部64が第１のイジェクトレバー61の端部によって押圧操作され、伝達レバー63が図11中矢印Ｍ方向に回動される。伝達レバー63が、図11中矢印Ｍ方向に回動されると、回動操作部64が第２のイジェクトレバー30を押圧し、第２のイジェクトレバー30を図11中矢印Ｋ方向に移動する。
第２のイジェクトレバー30が移動されると、このレバー30に設けたロック片30と蓋体29に設けた被係合部27との係合が解除され、第２の位置に保持されていた蓋体29が図９中矢印Ｆ方向に回動される。蓋体29の回動は、図示しない回動付勢手段を介して図９中矢印Ｆ方向に回動される。蓋体29が回動されると、この蓋体29とともにカートリッジホルダ９も同方向に回動され、このカートリッジホルダ９に保持されているディスクカートリッジ210又は232をカートリッジ装着部７からイジェクトさせ、ディスクテーブル６上に載置されている光磁気ディスク211又は光ディスク232のイジェクト操作が行われる。
ところで、伝達レバー63は、ディスク記録再生装置の操作状態に応じて、ディスクカートリッジ210又は232のイジェクト操作を規制するイジェクト操作規制機構65を構成するものであって、ベース板５に移動可能に配設されたイジェクト規制レバー68上に揺動可能に配設され、先端側の回動操作部64をベース板５一側面から突出させ、第１及び第２のイジェクトレバー61,30間に臨ませている。この伝達レバー63は、支持孔69をイジェクト規制レバー68に植立した支軸70に挿通させてイジェクト規制レバー68上に配設されている。伝達レバー63は、一側面側に形成したバネ係止片71とイジェクト規制レバー68に設けたバネ係止片72の間に張設された引っ張りバネ73により、回動操作部64を第１及び第２のイジェクトレバー61,30間に突出させる図11中矢印Ｊ方向に移動付勢されている。
なお、伝達レバー63は、移動方向を長径とした支持孔69を介して支軸70に支持されているので、支持孔69の範囲で引っ張りバネ73の付勢力に抗して図11中反矢印Ｊ方向に移動可能である。したがって、伝達レバー63は、引っ張りバネ73の付勢力に抗して押圧された場合であっても、イジェクト規制レバー68とは独立して移動され、イジェクト規制レバー68の不用意な移動を規制し、イジェクト規制レバー68を一定位置に確実に保持させておくことができる。
伝達レバー63が配設されたイジェクト規制レバー68は、伝達レバー63の移動方向を長径とした第１及び第２の支持孔74,75をベース板５に植立した第１及び第２の支軸76,77に挿通し、図11中矢印H1及び矢印H2方向の第１及び第２のイジェクトレバー61,30に対し進退する方向に移動可能に支持されている。イジェクト規制レバー68の先端側の一側には、このイジェクト規制レバー68の移動方向にほぼ直交する方向にバネ係止片78が突設されている。このバネ係止片78の先端部には、バネ係合凹部78aが設けられ、ベース板５上に配設されたトグルバネ79の一方のアーム部79aが係止されている。このトグルバネ79は、他方のアーム部79bをベース板５上に形成したバネ係止片80に係止させている。すなわち、トグルバネ79は、第１及び第２のアーム部79a、79bが互いに離間する方向の開脚方向の付勢力を利用して、イジェクト規制レバー68とベース板５のバネ係止片80との間に弾発付勢された状態で配設されている。
ところで、イジェクト規制レバー68のバネ係止片78の先端面とベース板５に設けたバネ係止片80との間隔L2は、イジェクト規制レバー68が伝達レバー63の回動操作部64を第１及び第２のイジェクトレバー30,61との間に突出させた位置と、回動操作部64を第１及び第２のイジェクトレバー30,61との間から退出させたディスクカートリッジ210又は232のイジェクト操作を規制する位置に移動された位置との略中間の位置にあるときに最も小さくなるように、イジェクト規制レバー58及びバネ係止片80が配設されている。したがって、イジェクト規制レバー68が、伝達レバー63の回動操作部64を第１及び第２のイジェクトレバー30,61との間に突出させたディスクカートリッジ210又は232のイジェクト操作を可能となす位置と、回動操作部64を第１及び第２のイジェクトレバー30,61との間から退出させたディスクカートリッジ210又は232のイジェクト操作を規制する位置に移動されたとき、イジェクト規制レバー68のバネ係止片78の先端面とベース板５に設けたバネ係止片80との間隔L2が中間位置にあるときに比し広くなる。
そして、トグルバネ79は、図11に示すように、イジェクト規制レバー68が中間位置よりイジェクト操作を可能となす位置側に移動されたときには、このイジェクト規制レバー68を図11中矢印H1方向に移動付勢し、図13に示すように、イジェクト規制レバー68が中間位置よりイジェクト操作を規制する可能となす位置側に移動されたときには、このイジェクト規制レバー68を図11中矢印H2方向に移動付勢する。
そして、イジェクト規制レバー68は、ディスク回転駆動機構１のスピンドルモータ35により移動操作される。スピンドルモータ35の駆動力は、複数のギヤから構成される駆動力伝達機構81を介して伝達される。この駆動力伝達機構81は、ベース板５に回転可能に取り付けられ、ディスクテーブル６の外周囲に設けたギヤ53に噛合された第１の伝達ギヤ82と、この第１の伝達ギヤ82と同軸に設けられた第１の伝達ギヤ82より大経の第２の伝達ギヤ83と、この第２の伝達ギヤ83に噛合されたベース板５に回転自在に取り付けられた第３の伝達ギヤ84と、この第３の伝達ギヤ84と同軸に設けられた第３の伝達ギヤ84より小径の第４の伝達ギヤ85と、この第４の伝達ギヤ85に噛合されたベース板５に回転自在に取り付けられた第５の伝達ギヤ86と、この第５の伝達ギヤ86に同軸に設けられた第５の伝達ギヤ86より小径の第６の伝達ギヤ87とを備える。
第５の伝達ギヤ86の回転軸86aには、図示しない摩擦部材を介して揺動レバー88が取り付けられている。この揺動レバー88の先端側には、支軸89aを介して第６の伝達ギヤ87に噛合された揺動ギヤ89が回転可能に取り付けられている。この揺動ギヤ89を取り付けた揺動レバー88は、摩擦部材を介して第５の伝達ギヤ86の駆動力が伝達され、この第５の伝達ギヤ86の回転方向に回転する。そして、揺動ギヤ89は、第６の伝達ギヤ87に噛合するとともに、イジェクト規制レバー68の一側面側の中途部に形成したラックギヤ90に噛合する。
ここで、ディスクテーブル６上に光磁気ディスク211又は231が載置され、この光磁気ディスク211又は231に対し情報信号の記録及び／又は再生が開始されると、ディスク回転駆動機構１のスピンドルモータ35は、図12中矢印R1方向の正転方向に回転する。スピンドルモータ35が図12中矢印R1方向に回転すると、第１、第２、第３及び第４の伝達ギヤ82,83及び84を介してディスクテーブル６のギヤ53に連結された第５の伝達ギヤ86及びこの第５の伝達ギヤ86に同軸に設けられた第６の伝達ギヤ87は、スピンドルモータ35の回転方向とは逆方向の図12中矢印P1方向に回転する。第６の伝達ギヤ87が図12中矢印P1方向に回転すると、揺動レバー88を同方向の図12中矢印P1方向に回転させ、先端側に支持した揺動ギヤ89をイジェクト規制レバー68のラックギヤ90に噛合させる。このとき、第６の伝達ギヤ87に噛合している揺動ギヤ89は、図12中矢印Q1方向に回転し、イジェクト規制レバー68を図12中矢印H2方向に移動させる。イジェクト規制レバー68が図12中矢印H2方向に移動すると、伝達レバー63も同方向に移動され、図13に示すように、回動操作部64を第１及び第２のイジェクトレバー61,30間から退出させる。イジェクト規制レバー68が回動操作部64を第１及び第２のイジェクトレバー61,30間から退出させる位置まで移動すると、図13に示すように、揺動ギヤ89とラックギヤ90との噛合が解除される。このとき、スピンドルモータは、図13中矢印R1方向の正転方向に回転を続けているので、揺動レバー88は図13中矢印P1方向に回転する方向の力が付与され続け、揺動ギヤ89のラックギヤ90への噛合が規制される。また、揺動ギヤ89がラックギヤ90から外れたとき、揺動ギヤ89への負荷が解除されるので、摩擦部材を介して第５の伝達ギヤ86の回転軸86aに支持された揺動レバー88に伝達される回転駆動力が小さくなり、揺動レバー88は、揺動ギヤ89をラックギヤ90から外した位置に保持される。
また、イジェクト規制レバー68は、回動操作部64を第１及び第２のイジェクトレバー61,30間から退出させた位置まで移動されると、トグルバネ79の付勢力を受けて図13中矢印H2方向に移動付勢され、図13中矢印H1方向への移動が規制された状態が保持される。すなわち、回動操作部64が、第１及び第２のイジェクトレバー61,30間から退出された状態が維持される。
回動操作部64が、第１及び第２のイジェクトレバー61,30間から退出されると、第１のイジェクトレバー61が操作されても第２のイジェクトレバー30の移動操作が規制される。すなわち、第１のイジェクトレバー61の移動距離が直接第２のイジェクトレバー30を押圧しない距離とされているので、回動操作部64が介在されされない限り第２のイジェクトレバー30の移動操作が規制される。そして、第２のイジェクトレバー30が操作されないことから、カートリッジ装着部７に装着されたディスクカートリッジ210又は232のイジェクト操作が規制され、ディスクテーブル６に載置された光磁気ディスク211又は光ディスク231の取り外し操作が規制される。
そして、ディスクテーブル６上に載置された光磁気ディスク211への情報信号の記録が終了し、記録された情報信号の目録情報の光磁気ディスク211への記録が完了し、あるいはディスクテーブル６上に載置された光磁気ディスク211又は光ディスク231に記録された所望の情報信号の再生が完了すると、スピンドルモータ35が停止し、ディスク記録再生装置の情報信号の記録及び／又は再生動作が完了する。情報信号の記録及び／又は再生動作が完了すると、例えばディスク記録再生装置の動作を制御する制御回路からスピンドルモータ35の駆動を制御する制御信号が出力され、この制御信号に基づいて、スピンドルモータ35が図13中矢印R2方向、すなわち逆転方向に駆動を開始する。
なお、スピンドルモータ35の駆動を制御する制御信号は、情報信号の記録及び／又は再生動作が終了して一定時間経過後、あるいは記録及び／又は再生動作を強制終了させる操作が行われることにより出力される。
そして、スピンドルモータ35が図13中矢印R2方向に回転すると、第１、第２、第３及び第４の伝達ギヤ82,83及び84を介してディスクテーブル６のギヤ53に連結された第５の伝達ギヤ86及びこの第５の伝達ギヤ86に同軸に設けられた第６の伝達ギヤ87は、スピンドルモータ35の回転方向とは逆方向の図13中矢印P2方向に回転する。第６の伝達ギヤ87が図13中矢印P2方向に回転すると、揺動レバー88を同方向の図12中矢印P2方向に回転させ、先端側に支持した揺動ギヤ89をイジェクト規制レバー68のラックギヤ90に噛合させる。このとき、第６の伝達ギヤ87に噛合している揺動ギヤ89は、図12中矢印Q2方向に回転し、イジェクト規制レバー68を図12中矢印H1方向に移動させる。イジェクト規制レバー68が図12中矢印H1方向に移動すると、伝達レバー63も同方向に移動され、図12に示すように、回動操作部64を第１及び第２のイジェクトレバー61,30間に突出させる。イジェクト規制レバー68が回動操作部64を第１及び第２のイジェクトレバー61,30間に突出させる位置まで移動すると、図11に示すように、揺動ギヤ89とラックギヤ90との噛合が解除される。このとき、スピンドルモータは、逆転方向である図13中矢印R2方向に回転を続けているので、揺動レバー88は図11中矢印P2方向に回転する方向の力が付与され続け、揺動ギヤ89のラックギヤ90への噛合が規制される。また、揺動ギヤ89がラックギヤ90から外れたとき、揺動ギヤ89への負荷が解除されるので、摩擦部材を介して第５の伝達ギヤ86の回転軸86aに支持された揺動レバー88に伝達される回転駆動力が小さくなり、揺動レバー88は、揺動ギヤ89をラックギヤ90から外した位置に保持される。
また、イジェクト規制レバー68は、回動操作部64を第１及び第２のイジェクトレバー61,30間に突出させた位置まで移動されると、トグルバネ79の付勢力を受けて図11中矢印H1方向に移動付勢され、図11中矢印H2方向への移動が規制された状態が保持される。すなわち、回動操作部64が、第１及び第２のイジェクトレバー61,30間に突出された状態に維持される。
ここで、第１のイジェクトレバー61を図11中矢印Ｋ方向に移動操作すると、伝達レバー63の回動操作部64を介して第２のイジェクトレバー30が図11中矢印Ｋ方向に移動され、蓋体29のロックを解除し、カートリッジホルダ９に保持されているディスクカートリッジ210又は232をカートリッジ装着部７からイジェクトさせ、ディスクテーブル６上に載置されている光磁気ディスク211又は光ディスク232のイジェクトさせる装置が行われる。
ところで、イジェクト規制レバー68は、伝達レバー63の回動操作部64を第１及び第２のイジェクトレバー61,30間に突出させたイジェクト可能位置と回動操作部64を第１及び第２のイジェクトレバー61,30間から退出させたイジェクト規制位置間に亘る移動範囲は、本実施例において、イジェクト可能位置とイジェクト規制位置との中間位置である中立位置を基準にして図11中矢印H1方向及び矢印H2方向にそれぞれ2mmに設定されている。このイジェクト規制レバー68の全移動範囲をＸ（mm）、すなわち中立点を基準として図11中矢印H1方向及び矢印H2方向にそれぞれ±（X/2）（mm）とし、ラックギヤ90の長さをＬ（mm）とし、揺動レバー88の回転による揺動ギヤ89の移動距離をＰ（mm）とすると、
Ｐ＞（Ｌ−Ｘ）≧０
の関係が維持されるように設定されている。
次に本発明が適用されたディスク記録再生装置の他の実施例を説明する。
この実施例は、スピンドルモータ35の駆動力をイジェクト規制レバーに伝達する駆動力伝達機構の簡素化を図るとともに、用いるバネの削減を実現するものである。
本実施例において、要部構成のみを図示し、前述した実施例と共通する部材については、共通の符号を付し詳細な説明は省略する。
本実施例のディスク記録再生装置は、図14に示すように、第１及び第２のイジェクトレバー30,61間に進退するイジェクト規制レバー151がベース板５上に配設されている。この実施例においては、イジェクト規制レバー151の先端側の回動操作部152が直接第１及び第２のイジェクトレバー30,61間に進退する。したがって、本実施例では、イジェクト規制レバー151が、第１のイジェクトレバー61の操作力を第２のイジェクトレバー30に伝達する伝達機構を構成する。
また、ベース板５上には、イジェクト規制レバー151と略平行に更なるレバーである移動レバー153が配設されている。そして、イジェクト規制レバー151と移動レバー153は、リンク機構を達成する連結レバー154によって連結されている。
イジェクト規制レバー151は、中途部に植立した第１の連結軸155を連結レバー154の一端側に長孔として穿設された連結穴156に挿通させて連結レバー154に連結し、基端側に穿設した略三角形状をなす回動ガイド穴157をベース板５に植立した第１のガイド軸158に挿通させてベース板５上に配設されている。このイジェクト規制レバー151は、第１の連結軸155を連結穴156にガイドされ、ベース板５に植立した第１のガイド軸158にガイドされて、先端側の回動操作部152を第１及び第２のイジェクトレバー30,61間に進退させる図14中矢印H1方向及びH2方向に移動可能であって、第１の連結軸155を中心に図14中矢印M1方向及び矢印M2方向に回動可能にベース板５上に支持されている。このイジェクト規制レバー151の基端部側の一側には、後述する揺動ギヤが噛合する第１のラックギヤ159が設けられている。
移動レバー153は、移動方向を長径として形成されたガイド穴160をベース板５に植立した第２のガイド軸161に挿通し、一端側を第２の連結軸162を介して連結レバー154の他端側に回動可能に連結されている。この移動レバー153は、ガイド穴160を第２のガイド軸161にガイドされて図14中矢印N1方向及びN2方向に移動する。また、移動レバー153の中途部の一側には、後述する揺動ギヤが噛合する更なるラックギヤである第２のラックギヤ163が設けられている。
イジェクト規制レバー151と移動レバー153を連結する連結レバー154は、略中央部をベース板５に植立した支軸164に枢支し、この支軸164を中心に図14中矢印S1方向及び矢印S2方向に回動可能に支持されている。
そして、連結レバー154を枢支した支軸164とイジェクト規制レバー151に植立した連結軸155との間には、トグルバネ165が架け渡らされている。このトグルバネ165は、一方のアーム部165aを連結軸155に係止させ、他方のアーム部165bを連結軸155に係止させて取り付けられている。そして、トグルバネ165は、イジェクト規制レバー151が回動操作部152を第１及び第２のイジェクトレバー30,61間に突出する図14中矢印H2方向に移動されると、中立点を越えてイジェクト規制レバー151を図14中矢印H2方向に常時付勢する付勢力を与える。また、トグルバネ165は、イジェクト規制レバー151が回動操作部152を第１及び第２のイジェクトレバー30,61間から退出させる図14中矢印H1方向に移動されると、中立点を越えてイジェクト規制レバー151を図14中矢印H1方向に常時付勢する付勢力を与える。
そして、ベース板５上には、イジェクト規制レバー151に設けた第１のラックギヤ159及び移動レバー153に設けた第２のラックギヤ163に揺動ギヤ166を選択的に噛合させ、スピンドルモータ35の駆動力をイジェクト規制レバー151及び移動レバー153に選択的に伝達する駆動力伝達機構170が設けられている。この駆動力伝達機構170は、ディスクテーブル６の外周囲に設けたギヤ53に噛合する第１の伝達ギヤ171と、この第１の伝達ギヤ171と同軸に設けられた第１の伝達ギヤ171より小径の第２の伝達ギヤ172とを有する。そして、第１及び第２の伝達ギヤ171,172の支軸173に図示しない摩擦部材を介して揺動レバー174が取り付けられている。この揺動レバー174の先端側には、支軸175を介して揺動ギヤ166が回転可能に取り付けられている。この揺動ギヤ166は、第２の伝達ギヤ172に常時噛合している。揺動ギヤ166を取り付けた揺動レバー174は、摩擦部材を介して第２の伝達ギヤ172の駆動力が伝達され、この第２の伝達ギヤ172の回転方向に応じて図14中矢印T1方向及び矢印T2方向に回動する。
ここで、ディスクテーブル６上に光磁気ディスク211又は231が載置され、この光磁気ディスク211又は231に対し情報信号の記録及び／又は再生が開始されると、ディスク回転駆動機構１のスピンドルモータ35は、図14中矢印R1方向の正転方向に回転する。スピンドルモータ35が図14中矢印R1方向に回転すると、第１及び第２の伝達ギヤ171,172が図14中矢印T1方向に回転し、揺動レバー174が図14中矢印T1方向に回動し、揺動レバー174の先端側に取り付けた揺動ギヤ166が移動レバー153の第２のラックギヤ163に噛合する。このとき、第２の伝達ギヤ172にも噛合している揺動ギヤ166は、スピンドルモータ35の回転方向と同方向の図14中矢印W1方向に回転し、移動レバー153を図14中矢印N1方向に移動させる。この移動レバー153の図14中矢印N1方向への移動により、連結レバー154が支軸164を中心に図14中矢印S1方向に回動され、イジェクト規制レバー151を図14中矢印H2方向に移動させる。イジェクト規制レバー151が図14中矢印H2方向に移動することにより、図15に示すように、回動操作部152を第１及び第２のイジェクトレバー61,30間から退出させる。イジェクト規制レバー151が回動操作部152を第１及び第２のイジェクトレバー61,30間から退出させる位置まで移動すると、揺動ギヤ166と第２のラックギヤ163との噛合が解除される。このとき、スピンドルモータ35は、図15中矢印R1方向の正転方向に回転を続けているので、揺動レバー174は図15中矢印T1方向に回転する方向の力が付与され続け、揺動ギヤ166の第２のラックギヤ163への噛合が規制される。また、揺動ギヤ166が第２のラックギヤ163から外れたとき、揺動ギヤ166への負荷が解除されるので、摩擦部材を介して第１及び第２の伝達ギヤ171,172の支軸173に支持された揺動レバー174に伝達される回転駆動力が小さくなり、揺動レバー174は、揺動ギヤ166を第２のラックギヤ163から外した位置に保持される。
また、イジェクト規制レバー151は、回動操作部152を第１及び第２のイジェクトレバー61,30間から退出させた位置まで移動されると、トグルバネ165の付勢力を受けて図15中矢印H2方向に移動付勢され、図15中矢印H1方向への移動が規制された状態が保持される。すなわち、回動操作部152が、第１及び第２のイジェクトレバー61,30間から退出された状態が維持される。
回動操作部152が、第１及び第２のイジェクトレバー61,30間から退出されると、第１のイジェクトレバー61が操作されても第２のイジェクトレバー30の移動操作が規制される。すなわち、第１のイジェクトレバー61の移動距離が直接第２のイジェクトレバー30を押圧しない距離とされているので、回動操作部152が介在されされない限り第２のイジェクトレバー30の移動操作が規制される。そして、第２のイジェクトレバー30が操作されないことから、カートリッジ装着部７に装着されたディスクカートリッジ210又は232のイジェクト操作が規制され、ディスクテーブル６に載置された光磁気ディスク211又は光ディスク231の取り外し操作が規制される。
そして、ディスクテーブル６上に載置された光磁気ディスク211への情報信号の記録が終了し、記録された情報信号の目録情報の光磁気ディスク211への記録が完了し、あるいはディスクテーブル６上に載置された光磁気ディスク211又は光ディスク231に記録された所望の情報信号の再生が完了すると、スピンドルモータ35が停止し、ディスク記録再生装置の情報信号の記録及び／又は再生動作が完了する。情報信号の記録及び／又は再生動作が完了すると、例えばディスク記録再生装置の動作を制御する制御回路からスピンドルモータ35の駆動を制御する制御信号が出力され、この制御信号に基づいて、スピンドルモータ35が図15中矢印R2方向、すなわち逆転方向に駆動を開始する。
そして、スピンドルモータ35が図15中矢印R2方向に回転すると、第１及び第２の伝達ギヤ171,172が図15中矢印T2方向に回転し、揺動レバー174が図14中矢印T2方向に回動し、揺動レバー174の先端側に取り付けた揺動ギヤ166がイジェクト規制レバー151の第１のラックギヤ159に噛合する。このとき、第２の伝達ギヤ172にも噛合している揺動ギヤ166は、スピンドルモータ35の回転方向と同方向の図15中矢印W2方向に回転し、イジェクト規制レバー151を図15中矢印H1方向に移動させる。このイジェクト規制レバー151の図15中矢印H1方向への移動により、連結レバー154が支軸164を中心に図15中矢印S2方向に回動し、イジェクト規制レバー151を図15中矢印H1方向に移動させる。イジェクト規制レバー151が図15中矢印H1方向に移動することにより、図14に示すように、回動操作部152が第１及び第２のイジェクトレバー61,30間に突出する。イジェクト規制レバー151が回動操作部152を第１及び第２のイジェクトレバー61,30間から突出させる位置まで移動すると、揺動ギヤ166と第１のラックギヤ159との噛合が解除される。
このとき、スピンドルモータ35は、図15中矢印R2方向である逆転方向に回転を続けているので、揺動レバー174は図15中矢印T2方向に回転する方向の力が付与され続け、揺動ギヤ166の第１のラックギヤ159への噛合が規制される。また、揺動ギヤ166が第１のラックギヤ159から外れたとき、揺動ギヤ166への負荷が解除されるので、摩擦部材を介して第１及び第２の伝達ギヤ171,172の支軸173に支持された揺動レバー174に伝達される回転駆動力が小さくなり、揺動レバー174は、揺動ギヤ166を第１のラックギヤ163から外した位置に保持される。
また、イジェクト規制レバー151は、回動操作部152を第１及び第２のイジェクトレバー61,30間から突出させた位置まで移動されると、トグルバネ165の付勢力を受けて図14中矢印H1方向に移動付勢され、図15中矢印H2方向への移動が規制された状態が保持される。すなわち、回動操作部152が、第１及び第２のイジェクトレバー61,30間に突出した状態に維持される。
ここで、第１のイジェクトレバー61を図14中矢印Ｋ方向に移動操作すると、イジェクト規制レバー151の回動操作部152を介して第２のイジェクトレバー30が図14中矢印Ｋ方向に移動され、蓋体29のロックを解除し、カートリッジホルダ９に保持されているディスクカートリッジ210又は232をカートリッジ装着部７からイジェクトさせ、ディスクテーブル６上に載置されている光磁気ディスク211又は光ディスク232のイジェクトさせる操作が行われる。
ところで、回動操作部152が、第１及び第２のイジェクトレバー61,30間に突出された状態で、回動操作部152が図14中矢印H2方向に押圧されても、イジェクト規制レバー151は、トグルバネ165の付勢力を受けて図14中矢印H1方向に移動され、回動操作部152を第１及び第２のイジェクトレバー61,30間に突出させた状態に復帰される。すなわち、回動操作部152の図14中矢印H2方向への押圧操作は、第１及び第２のイジェクトレバー61,30た装置本体４によってトグルバネ165の中立点を越える位置まで移動することができないので、イジェクト規制レバー151はトグルバネ165の付勢力を受けて回動操作部152を第１及び第２のイジェクトレバー61,30間に突出させた位置まで自動的に復帰する。したがって、トグルバネ165は、イジェクト規制レバー151が回動操作部152を第１及び第２のイジェクトレバー61,30間に突出させた位置にあるとき、イジェクト操作可能な状態を確実に保持させる。したがって、本実施例によれば、少ないバネを利用して、ディスクカートリッジ210又は232の確実なイジェクト操作が保証される。
上述の実施例では、光ディスクや光磁気ディスクを記録媒体に用いるディスク記録再生装置に適用した例を挙げて説明したが、本発明は、磁気ディスクやその他のディスク状の記録媒体又はこの記録媒体を収納したディスクカートリッジを記録媒体に用いるディスク記録及び／又は再生装置に広く適用し、本発明により得られる利点を得ることができる。
また、本発明は、本発明の要旨を逸脱しない範囲で適用されるディスク記録及び／又は再生装置の形態に応じて種々の変更が可能である。
産業上の利用可能性
本発明に係るディスクイジェクト装置及びディスクローディング装置は、
ディスクカートリッジに収納されたディスクを回転駆動し、ディスクカートリッジ内のディスクが載置されるディスクテーブルとこのディスクテーブルを回転駆動するディスク回転駆動機構のモータを利用して、ディスクカートリッジをこのディスクカートリッジに収納したディスクがディスク回転駆動手段に装着された状態から排出させるためのイジェクト機構の動作を制御するようにしているので、駆動源の削減が実現され、装置自体の簡素化及び小型化が実現される。
【図２】
0003569920.tif 000002
【図１】
0003569920.tif 000003
【図３】
0003569920.tif 000004
【図４】
0003569920.tif 000005
【図５】
0003569920.tif 000006
【図６】
0003569920.tif 000007
【図７】
0003569920.tif 000008
【図８】
0003569920.tif 000009
【図９】
0003569920.tif 000010
【図１０】
0003569920.tif 000011
【図１１】
0003569920.tif 000012
【図１２】
0003569920.tif 000013
【図１３】
0003569920.tif 000014
【図１４】
0003569920.tif 000015
【図１５】
0003569920.tif 000016